(57)【特許請求の範囲】
【請求項１】
直立した前面壁、後面壁および側面壁を含む、引き出しスライド上で支持される形式の引き出し用の摺動作業台において、
作業面を画定する実質的に長方形のパネルであって、前部縁、後部縁および実質的に平坦な側部マージンを有し、該平坦な側部マージンが前記引き出しの直立した側面壁の上縁と摺動係合するように配置され、それによって前記作業台が前記引き出しに対して前後方向に摺動し易くされているパネルと、
前記パネルの後部縁に隣接して前記パネルと一体にされた支持部材であって、前記引き出しスライドの上縁と摺動係合して前記引き出しの後方に延在している前記作業台の部分を支持する支持部材と、
前記パネルの前部縁に隣接して前記側部マージンと一体にされた垂下フランジであって、前記引き出しの内側の引き出し壁と係合して該引き出しに対する前記パネルの動きを制限する垂下フランジと、を有する摺動作業台。
【請求項２】
前記パネルが、該パネルの後部縁から垂下する後部フランジと、該パネルの側部マージンの中間で前記後部フランジに形成された切欠きとを含み、該切欠きは、前記引き出しに設けられた係止タブであって、前記パネルと前記引き出しを連結する係止タブと係合するようになっていることを特徴とする請求項１に記載の摺動作業台。
【請求項３】
前記垂下フランジ間のほぼ中間で前記パネルの前部縁の近傍に形成された穴をさらに有し、それによって使用者が指で前記パネルを把持して摺動させるのを容易にすることを特徴とする請求項１に記載の摺動作業台。
【請求項４】
前記下向き垂下フランジが、実質的にパネルの幅に亘って延び且つそこに一体にされた単一の平坦部材であって、その反対側端部が曲げられて前記フランジを画定する平坦部材から形成されることを特徴とする請求項３に記載の摺動作業台。
【請求項５】
使用者の指のために大きな把持領域を与えるように、前記穴が前記単一の平坦部材を貫通して垂直方向に延びていることを特徴とする請求項４に記載の摺動作業台。
【請求項６】
前記下向き垂下フランジが、実質的にパネルの幅に亘って延び且つそこに一体にされた単一の平坦部材であって、その反対側端部が曲げられて前記フランジを画定する平坦部材から形成されることを特徴とする請求項１に記載の摺動作業台。
【請求項７】
前記支持部材および前記単一の平坦部材が前記パネルにハンダ付けされていることを特徴とする請求項４に記載の摺動作業台。
【請求項８】
前記引き出しの各側面壁は、その底部よりその頂部のほうが厚くなされ、それによって頂部と底部の間に内側肩部が形成されており、前記各フランジは、関連する前記肩部と係合するために該肩部の下に延びるような寸法とされたリップを含み、それによって前記パネルが前記フランジのあたりで上方へ動くのを防止していることを特徴とする請求項１に記載の摺動作業台。
【請求項９】
前記作業台が、ボールベアリング形式の引き出しスライド組立体による支持用の寸法とされていることを特徴とする請求項１に記載の摺動作業台。
【請求項１０】
前記作業台が、摩擦形式の引き出しスライド組立体による支持用の寸法とされていることを特徴とする請求項１に記載の摺動作業台。
【発明の詳細な説明】
【０００１】
【発明の属する技術分野】
本発明は、引き出しと共に使用するようにされた作業台または作業面に関するもので、特に、それと共に動く引き出し上に支持される台に関するものである。
【０００２】
【従来の技術】
基本的に、引き出し式（ｐｕｌｌ−ｏｕｔ）作業台はＳｎａｐ−ｏｎ  Ｉｎｃｏｒｐｏｒａｔｅｄからモデル番号第３８００Ｋ０８００（ここでは“３８００Ｋ台”と呼ぶ）で入手でき、それは、引き出し全体を覆う前方位置と、引き出し全体をほとんどむき出しにする後方位置との間を動くように引き出し上に摺動可能に支持されており、引き出しを開けると中に入ることができる。従来の技術の図１から図４までに参照番号１０で示されている３８００Ｋ台は、摩擦形式引き出しスライド組立体２０のオフセットラナー（ｏｆｆｓｅｔ  ｒｕｎｎｅｒｓ）の各頂部溝に沿って走るぶら下がっている側部フランジ１１を含む（図４を参照）。３８００Ｋ台１０は、Ｋａｄｌｅｃｅｋらによって１９９３年１０月２５日に出願された係属中の米国特許出願番号第０８／１４０、８４６の主題である。３８００Ｋ台上のフランジ１１は、引き出しの前面から後面までの奥行きと大体同じ長さを有しており、台の後部縁１２から台の前部縁に沿って配置された細長い溝型トレー１３まで延在している。フランジ１１は、台が前後にスライドする際、台と引き出しの整合性を維持するために機能し且つ不可欠である。さらに、溝付きの構造を持つトレー１３は、使用者が指で把持することを容易にするだけでなく、台が引き出しの後面壁４５よりも後方へ押されないようにする。
【０００３】
図１から図４までの台１０は、一般に図５で示されている形式の工具キャビネット組立体での使用を意図する。キャビネット組立体３０はロール型キャビネットモジュール（基本単位）３１を含み、このモジュールは直立した側面壁３３と３４および側面壁３３と３４の間で側面壁とほぼ平行な中間壁３５を含むハウジング３２から成る。壁３３−３５の底部縁は底壁３６と相互に接合し、底部壁から４個のキャスター３７がぶら下がっている。ハウジング３２は、その上部端で頂壁３８によって閉じられる。後面壁（図示せず）も、周知の方法で提供される。キャビネットモジュール３１は、各種サイズの複数の引き出し４０から成り、その幾つかは側面壁３３と中間壁３５の間、またその幾つかは側面壁３４と中間壁３５の間に、全て周知の方法で、取付けられる。台１０は引き出し４０に取り付けられ、次いで図４で示されている摩擦形式引き出し組立体２０によってキャビネット組立体３０に取付けられる。
【０００４】
【発明が解決しようとする課題】
３８００Ｋ台の構造は全体的にかなり単純である一方、３８００Ｋ台のフランジ付き且つ溝付きの両方の特徴を持つ構造から生じる、生来の機能と製造上の短所が多数残されている。第一に、フランジ１１が台のいずれの側でも台の長さ全体に架かるため、大量の素材が作業面以外の目的に使用される。第二に、トレー１３把持面が作業面より下にあるため、それに必要とされる分だけ台の前面の作業面が減少する。
【０００５】
発明の概略的な目的は、従来の引き出しで支持された作業台の短所を避ける引き出しで使用される改良型の作業台を提供することにある一方、構造上および操作上の追加された利点を提供することである。
【０００６】
【課題を解決するための手段】
発明の重要な特徴は、簡単でしかも経済的な構造から成る形式の作業台を提供することである。
【０００７】
発明の別の特徴は、引き出しの領域とほぼ同じ領域を持つ作業面を得られ引き出しで支持された作業台を提供することである。
【０００８】
発明の別の特徴は、引き出し全体を覆う前方位置と、引き出しの中に入れるようにするために、引き出し全体をほとんどむき出しにする後方位置との間の動きのために引き出し上で摺動可能に支持された作業台を提供することである。
【０００９】
前述の特徴に関連して、発明のもうひとつの特徴は、作業台の後方位置、つまり引き出しがむき出しにされた位置にある時、完全に支持される形式の作業台を提供することである。
【００１０】
発明のこれらおよび他の特徴は、直立した前面壁、後面壁、および側面壁を含む形式の引き出し用に摺動作業台を提供することにより達成される。台は実質的に長方形のパネルを含み、そのパネルが前部縁および後部縁およびほぼ平坦な側面マージンを持つ作業面を画定する。平坦な側面縁は、引き出しに関して台が前後方向に動き易くするために、引き出しの直立した側面壁の頂部に静止するような寸法になされる。引き出しスライドの上縁に摺動可能に係合して、引き出しの台を後方で確実に支持するために、支持部材はパネルの後部縁近くに一体的に取り付けられている。下方向にぶら下がっているフランジは、前部縁近くの引き出しの壁と係合するためにパネルに一体的に結合されて、パネルの前方および後方への動きを制限したり、パネルと引き出しとの整合性を維持する。
【００１１】
発明は、以下で充分に説明され、付随の図面で示され、且つ添付の請求項で詳細に指摘される一定の斬新な特徴および部品の組み合わせから成り、本発明の精神から離れることなしに、あるいはその長所をどれも犠牲にすることなしに、各種の詳細に渡る変更がなされる可能性があることが理解される。
【００１２】
【発明の実施の形態】
発明の理解を助ける目的で発明の好適実施例が添付図面に示されているので、以下の説明と関連してそれを参照することで、発明、発明の構成および作用、および発明の多数の利点が容易に理解され認められるはずである。
図６および図７を参照するとそこには、一対の引き出しスライド組立体により工具キャビネット３０に全体的に取り付けられた引き出し４０上に支持された、本発明に従って構築された作業台５０が示されている。本発明が使用できる工具キャビネット３０および引き出し４０は、図５に全体的に示される形式のものである。さらに作業台５０は、摩擦形式、ボールベアリング形式、または類似の引き出しスライド組立体により、以下に記述される態様で支持される。
【００１３】
引き出し４０は、直立した側面壁４２の反対側の縁で一体になされる平坦な長方形底部壁４１を典型的に有する形式のものであり、各側面縁はそれ自体上に折り曲げられて丸くされた（ｒｏｌｌｅｄ）頂縁４３および内側に折り曲げられた肩部４４を画定する上縁を有する。引き出し４０はさらに、直立した後面壁４５および直立した前面壁４６を有し、前面壁はぶら下がったリップ４８をその末端に持つ前方へ突き出たアングルフランジ（ａｎｇｌｅ  ｆｌａｎｇｅ）４７とその上部縁で一体になされることが好ましい。リップ４８により、使用者が引き出し４０を指で把持して引いて開放状態にすることが容易になることが理解される。
【００１４】
引き出しは一対の引き出しスライド組立体上に支持されており、その組立体は一般的に米国特許第４，０７２，３７５で開示された摩擦形式の組立体か、または好適には図７で番号７０で全体的に示されるボールベアリング形式の組立体になし得る。引き出しスライド組立体は従来からそして基本的に３部構成である。ボールベアリング形式のスライド組立体７０は、ボール係合面を画定するために曲げられた上下縁７２ａ，７２ｂを持つ関連するキャビネット壁（例えば中間壁３５）に固定されたキャビネット部材７１を含む。同様に、引き出し部材７３は、引き出し４０の隣接する側面壁４２に固定され、その上下縁が曲げられてボールと係合する偏倚部分（ｏｆｆｓｅｔ）７４を画定する。組立体はさらに中間部材７５も含み、中間部材は直立した主要壁７６と弓型の中央部、および引き出しの側面壁４２の方向へ曲げられた上下端７７，７８を有する。中間部材７５の各上下端７７，７８は湾曲されて、一部が弧状になった内側および外側表面領域７９，８０を画定し、キャビネットボールレース（ｂａｌｌｒａｃｅ）８１および引き出しボールレース８２を用いて、中間部材７５をキャビネット部材７１と引き出し部材７３へ結合するのを容易にする。ボールレース８１，８２は、従来構造のものであり、関連するボール８５，８６および８７，８８をそれぞれ支持する上下端に沿って曲げられたそれぞれのボール位置決めブラケット８３，８４を含む。操作の際、中間部材７５はキャビネット部材７１および引き出し部材７３の各々に対して相互に摺動可能であり、ボール８５−８８の回転によって助けられ、周知の方法で引き出し４０の開閉の動きを容易にする。
【００１５】
本発明は、特定の形式のスライド組立体を備えた引き出しのひとつの形式に関連して、以下でさらに詳細に説明される一方、引き出しの側面壁に隣接する長手方向の上部縁でキャビネット部材または同類を有するいずれの引き出しスライド組立体によって支持される全ての引き出しで使用できることが理解される。
【００１６】
図８から図１２までを参照すると、台５０は、その後部縁でぶら下がっている後面フランジ５２と一体になされている平坦な長方形のパネル５１を持っている。対応する引き出し４０上の係止タブ（図示せず）用の間隙を提供するために、フランジの端部間の中間あたりで後部フランジ５２の下縁に長方形の中央切欠５３が形成されている。後部フランジ５２は、パネル５１の幅全体に広がらないで、その端部はパネル５１の隅部の切欠き５４で終わる。適切な手段によって、好適にはハンダ付けによって、パネル５１の底面に堅固に固定されるのは実質的に平坦な表面部材５５であり、それは前部縁５６近くでパネル５１を横切って横方向に延在する。平坦な表面部材５５のそれぞれの反対側の端部は湾曲されており、パネル５１の側面マージンとほぼ平行であり、フランジの末端部で外向きに折り曲げられたリップ５７ａを備えた下向きにぶら下がるフランジ５７が形成されている。
【００１７】
パネル５１にその後部端で一体的に取り付けられているのは隅部支持部材５９であり、各々はアングルブラケットの形をしており、相互に直角をなす２つのほぼ平坦なフランジ６０，６１から成る。フランジ６０は、後部フランジ５２とほぼ同等の高さであり、後部フランジの外側表面に背中合わせの係合関係で、それぞれ、後部フランジ５２の端部に隣接して堅固に固定されている。フランジ６１は該フランジ６１とそれぞれ垂直なフランジ６０の頂縁６２から延在する。水平方向の平坦なフランジ６１は、パネル５１と概略同じ平面上にあり、パネル５１の後縁から後方へ延び、且つパネル５１の側面マージン５８よりも横方向外側に突き出ている。水平の平坦なフランジ６１の端部が底部縁面６３を画定する。
【００１８】
さらに、穴６４が、平坦な表面部材５５の中央を貫通し、且つフランジ５７間の中間でパネル５１を貫通して形成されているので、パネル５１を前後方向に摺動させるために使用者が指でパネル５１を把持することが容易になる。
【００１９】
図７を参照すると、使用中、作業台５０は引き出し４０上に支持される。さらに詳細すると、台５０が開閉される際、側部マージン５８がそれぞれ引き出し側面壁４２の頂縁４３に重なってそれらと摺動係合するように、パネル５１は引き出し４０の幅を有している。フランジ５７は、そのリップ５７ａが引き出し側壁４２の内側上でそれぞれ関連する内側に折り曲がった肩部４４の下に適合するような大きさに作られて、側部マージン５８と協働して引き出し４０に対する台５０の上下の動きを抑制する。作業台５０が引き出し４０に関して後方へ押しやられている時（図１３参照）、底面６３がキャビネット部材７１の上部縁７２ａと接触するまで台５０の後部がそれ自身の重量によりわずかに傾き、このようにして台５０がそれ以上は上下方向に傾かないように抑制し、且つ台と引き出し４０との実質的な整合性を常に維持するように、支持部材５９の底面６３が引き出しスライド組立体７０のキャビネット部材７１の頂縁７２ａに重なる。
【００２０】
従って、作業台５０は引き出し４０上で完全に支持されてそれと共に動き、また引き出し４０と関連して前後方向に摺動して動くことができる。作業台５０が引き出し４０に関してその最も前方の位置にある時、台が引き出し４０を完全に覆い、それにより最大限の作業表面積が提供できるような大きさに作られるのが好ましい。引き出し４０の中を利用したい場合は、所望の大きさだけ引き出し４０を開けて、作業台５０を所望の距離だけ後方へずらして引き出し中を利用する。
【００２１】
作業台５０が全ての位置で完全に支持されることが本発明の重要な面である。従って、例えば引き出し４０を全開位置まで完全に引き出して、引き出し４０の全領域を利用したい場合、フランジ５７が引き出し４０の後面壁４５に当接するまで作業台５０を後方へ押しやる必要がある。この位置では、作業台５０の側部マージン５８は引き出し４０の後部縁よりずっと後方に突き出すことになる。それにもかかわらず、キャビネット部材７１の頂縁７２ａと支持部材５９のフランジ６１の当接係合により、パネル５１の後端が支持される。
【００２２】
発明の構成モデルでは、作業台５０は鋼などの適切な金属で形成され、多くの部品を一体的に構成したものであることが好ましい。しかし、その他の材料および組立技術を使用できることは充分認められる。
【００２３】
前述の説明から、引き出しと共に動き且つ引き出しに対して摺動して動くように、引き出し上に摺動可能に支持され、引き出しの全領域を覆い且つ十分に支持されたままではあるが、引き出しのほぼ全領域を露出する開放位置まで摺動可能になされている、改良された台が提供されてきたことが理解できよう。
【００２４】
これまで本発明の特定の実施例が示され説明されたが、本発明から逸脱することなしに各種変更および修正をなし得ることは、当業者には自明であろう。従って、付随の特許請求の範囲の目的は、発明の精神および範囲が当てはまる全ての変更および修正を保護することである。前述の説明および添付の図面で示された事項は、説明の手段としてのみ提供されるものであり、限定として提供されるものでない。発明の真の範囲は、従来の技術に基づいてその正しい視野において検討される時、添付の特許請求の範囲に意図的に定義されている。
【図面の簡単な説明】
【図１】３８００Ｋ（従来の技術の）作業台の平面図である。
【図２】図１の従来の技術の作業台の前面図である。
【図３】図１の従来の技術の作業台の左側面図である。
【図４】摩擦型式引き出しスライド組立体に取り付けられた３８００Ｋ台のフランジ付き側面の配置を示す部分拡大した断面図である。
【図５】３８００Ｋおよび本発明のような作業台が使用出来る型の複数の引き出しを有する従来の技術の工具キャビネットの前面斜視図である。
【図６】引き出しのひとつ上で支持された本発明による作業台、および引き出しが完全に引き出された位置で示された引き出しを備えた、図５の工具キャビネットの一部の部分斜視図である。
【図７】図６の線７−７に沿って取った部分拡大図であり、ボールベアリング型式の引き出し組立体に取り付けられた本発明の作業台のフランジが付けられた側面の配置を示す。
【図８】図６の作業台の前面斜視図である。
【図９】図８の作業台の一部を省略した拡大平面図である。
【図１０】図９の作業台を右手から見た側面図である。
【図１１】図９の作業台の前面図である。
【図１２】図９の後面図である。
【図１３】図７に類似した図で、概して図６の線１３−１３に沿って取った図である。
【符号の説明】
３０  工具キャビネット
３５  中間壁
４０  引き出し
４１  底壁
４２  側面壁
４３  頂縁
４４  肩部
４５  後面壁
４６  前面壁
４７  アングルフランジ
４８  リップ
５０  作業台
５１  パネル
５２  後部フランジ
５３  切欠
５４  切欠き
５５  表面部材
５６  前部縁
５７  フランジ
５７ａ  リップ
５８  側部マージン
５９  支持部材
６０，６１  フランジ
６３  底面
６４  穴
７０  引き出しスライド組立体
７１  キャビネット部材
７２ａ，７２ｂ  上部縁、下部縁
７３  引き出し部材
７５  中間部材
７７，７８  上下端
８１  キャビネットボールレース
８２  引き出しボールレース
８３，８４  ボール位置決めブラケット
８５，８６，８７，８８  ボール
【図１】
0003830202.tif 000002
【図２】
0003830202.tif 000003
【図３】
0003830202.tif 000004
【図４】
0003830202.tif 000005
【図５】
0003830202.tif 000006
【図６】
0003830202.tif 000007
【図７】
0003830202.tif 000008
【図８】
0003830202.tif 000009
【図９】
0003830202.tif 000010
【図１０】
0003830202.tif 000011
【図１１】
0003830202.tif 000012
【図１２】
0003830202.tif 000013
【図１３】
0003830202.tif 000014